(57)【要約】【課題】  １つの回転体を設ける構成により、記録媒体をカッタで切断するときの紙粉の飛散防止と、画像を記録するときの記録媒体の浮き上がり防止とを可能にし、良好な画像記録を維持できる記録装置を提供する。【解決手段】  画像形成部２０の搬送下流側に配され搬送方向と交差する方向に記録媒体１を切断するカッタ６と、カッタの搬送下流側で記録媒体の搬送経路の近傍に配された回転体７と、を備える。回転体７は、最下部が搬送経路より上にある第１の位置と、最下部が搬送経路より下側にある第２の位置との間で移動可能に構成する。【選択図】  図５
2009292110.tif 000002
【特許請求の範囲】
【請求項１】
画像情報に基づいて記録ヘッドにより記録媒体に画像を記録する記録装置において、
画像形成部の搬送下流側に配され搬送方向と交差する方向に記録媒体を切断するカッタと、前記カッタの搬送下流側で記録媒体の搬送経路の近傍に配された回転体と、を備え、
前記回転体は、最下部が搬送経路より上にある第１の位置と、最下部が搬送経路より下側にある第２の位置との間で移動可能であることを特徴とする記録装置。
【請求項２】
前記回転体は、記録媒体に画像を記録しているときは前記第１の位置に保持され、前記カッタで記録媒体を切断しているときは前記第２の位置に保持されることを特徴とする請求項１に記載の記録装置。
【請求項３】
前記回転体の第１の位置は、記録媒体の種類に応じて可変であることを特徴とする請求項１に記載の記録装置。
【請求項４】
前記回転体の第１の位置は、記録媒体の先端が前記回転体を通過する前と通過する後で変化することを特徴とする請求項１に記載の記録装置。
【請求項５】
記録媒体は、シートロールから引き出されたロール紙であることを特徴とする請求項１に記載の記録装置。
【請求項６】
前記記録ヘッドから記録媒体にインクを吐出して画像を記録するインクジェット記録装置であることを特徴とする請求項１に記載の記録装置。
【発明の詳細な説明】
【技術分野】
【０００１】
本発明は、画像情報に基づいて記録ヘッドにより記録媒体に画像を形成する記録装置に関し、詳しくは、画像形成部の搬送下流側に配され搬送方向と交差する方向に記録媒体を切断するカッタを備えた記録装置に関する。
【背景技術】
【０００２】
プリンタ、複写機、ファクシミリ等の記録装置は、画像情報に基づいて記録ヘッドにより記録媒体に画像を形成するように構成されている。大判プリンタ等でロール状に巻回されたシートロールから引き出された記録媒体に記録する記録装置の場合、画像形成後の記録媒体を切断するカッタが設けられている。カッタで記録紙等の記録媒体を切断するとき、この記録媒体の紙粉が発生する。紙粉を除去する方法として、特許文献１に、紙粉を吸着可能にした弾性材からなるコロをカッタの近傍に設ける方法が開示されている。      
【特許文献１】特開２００２−０７２５９４号公報
【発明の開示】
【発明が解決しようとする課題】
【０００３】
しかしながら、上記従来の吸着部材を使用する方法では、使用しているうちに吸着部材に紙粉がたまっていき、吸着力が次第に低下していく。そこで、吸着部材を交換可能にすることが考えられるが、特に大判プリンタのように切断距離が長く紙粉の発生が多い記録装置においては、短時間で吸着部材に紙粉が溜まってしまい、取り扱いが煩雑であり、コストも嵩むことになる。また、吸着部材に紙粉が溜まった状態で使用を続けると、紙粉がカッタの移動とともに周囲に巻き散らされることになり、特にインクジェット記録装置の場合、記録ヘッドのインク吐出口が塞がれ、正常な画像形成ができなくなることがある。
【０００４】
一方、ロール紙等を切断するときの切断性能を向上させるために、カッタの刃で記録媒体を下向きに押さえ込みながら切断する方法が採られている。しかし、この構成では、切断が終了して押さえ込み力がなくなると、それまで下方に押え込まれていた記録媒体の後端部が反動で跳ね上がることなる。そして、記録媒体の後端が跳ね上がることで、切断時に発生した紙粉が飛散し、これにより記録ヘッドのインク吐出口が塞がれ、上述の同様、正常な画像形成ができなくなることがある。このような不都合の発生は、記録媒体が自重で排紙されるようにカッタの搬送下流側の搬送路が下方向へ湾曲している場合に、顕著になる傾向がある。
【０００５】
本発明はこのような技術的課題に鑑みてなされたものである。本発明の目的は、記録媒体をカッタで切断するときの紙粉の飛散を防止し、紙粉に起因する画像不良を防ぐことができる記録装置を提供することである。
【課題を解決するための手段】
【０００６】
本発明は、画像情報に基づいて記録ヘッドにより記録媒体に画像を形成する記録装置において、画像形成部の搬送下流側に配され搬送方向と交差する方向に記録媒体を切断するカッタと、前記カッタの搬送下流側で記録媒体の搬送経路の近傍に配された回転体と、を備え、前記回転体は、最下部が搬送経路より上にある第１の位置と、最下部が搬送経路より下側にある第２の位置との間で移動可能であることを特徴とする。
【発明の効果】
【０００７】
本発明によれば、記録媒体をカッタで切断するときの紙粉の飛散を防止し、紙粉に起因する画像不良を防ぐことができる記録装置が提供される。
【発明を実施するための最良の形態】
【０００８】
以下、図面を参照して本発明の実施形態を具体的に説明する。なお、各図面を通して同一符号は同一または対応部分を示すものである。図１は一実施形態に係る記録装置の斜視図である。図２は一実施形態に係る記録装置の縦断面図である。本実施形態では、記録媒体がシートロールから引き出されたロール紙である場合を例に挙げて説明する。図１および図２において、１は記録媒体であるロール紙、２はロール紙１を搬送するためのローラ対であり、駆動ローラ２ａと従動ローラ２ｂで構成されている。ロール紙１は、駆動ローラ２ａを回転駆動することにより画像形成部２０を通して搬送される。
【０００９】
画像形成部２０には、ガイドレール２１に沿って往復移動可能なキャリッジ３とキャリッジ３に搭載された記録ヘッド１１が設けられている。また、記録ヘッド１１と対向する位置にはロール紙１を支持するためのプラテン４が配設されている。
【００１０】
本実施形態に係る記録装置は、キャスター３２ａ付きのスタンド３２の上部に固定されており、操作部３４に配された各種のスイッチ等により紙サイズ、オンライン／オフライン、コマンドなどを指示される。ロール紙１を巻回したシートロールは、記録装置の背部に設けられたスプール３５（図２）上に回転自在に装着されている。引き出されたロール紙１は、操作部３４からの指示に基づいて搬送され、プラテン４上の画像形成部２０に到達する。画像形成部２０では、キャリッジ３を矢印Ｃおよび矢印Ｄ方向に移動（主走査）させながら、ロール紙１に１ラインずつ画像を形成していく。１ライン分の画像形成と記録媒体のピッチ搬送とを交互に繰り返すことでロール紙１の所定領域の記録を行なう。ロール紙１の記録された部分は、その後端部をカッタ６で切断され、矢印Ｂ方向に排出される。
【００１１】
本実施形態に係る記録装置は、画像情報に基づいて記録ヘッド１１から記録媒体１へインクを吐出して記録を行なうインクジェット記録装置である。記録ヘッド１１のプラテン４と対向する面には、複数のインク吐出口が形成された吐出面が設けられている。この吐出面とプラテン４上のロール紙１との間には、インク滴を飛翔させるための所定の隙間が設けられている。プラテン４の搬送面には複数の吸引孔（不図示）が形成されており、吸引ファン５で吸引孔に負圧吸引力を作用させることによりロール紙１を吸着することができる。このような吸引プラテンを用いることにより、画像形成中のロール紙１と記録ヘッド１１の吐出面との隙間を一定に保つことができ、これにより、ロール紙１上の正確な位置にインク滴を着弾させて良好な画像を形成することができる。
【００１２】
画像形成部２０の搬送下流側には、記録終了後のロール紙１を後端部で切断するためのカッタ６が配設されている。カッタ６は下側の固定刃６ａと上側の可動刃６ｂとで構成されている。固定刃６ａは、ロール紙１の全幅をカバーするように搬送方向と交差する方向に設置されている。可動刃６ｂは、固定刃６ａに沿ってロール紙１の全幅にわたって移動可能である。可動刃６ｂは、通常では単独で移動させるが、場合によってはキャリッジ３と一体に移動させても良い。可動刃６ｂは、ロール紙１に記録する際には幅方向外側で待機しており、切断する時にロール紙１の切断ラインに進入してくる。そして、可動刃６ｂが固定刃６ａに沿って移動することで、ロール紙１を切断する。
【００１３】
カッタ６の搬送下流側であってロール紙１の搬送経路の近傍に、回転体である押さえコロ７が配されている。押さえコロ７は、最下部がロール紙１の搬送経路より上にある第１の位置と、最下部がロール紙１の搬送経路より下側にある第２の位置との間で移動可能である。押さえコロ７の搬送下流側には排紙ガイド８が配され、排紙ガイド８の下方には排紙収納部を構成するバスケット９が設けられている。排紙ガイド８は駆動ローラ２ａおよび従動ローラ２ｂによって搬送されるロール紙１をバスケット９へ導くためのガイドであり、記録が終了して切断されたロール紙１は排紙収納部９へ収納される。
【００１４】
図３はロール紙１の先端が押さえコロ７の搬送下流側まで搬送されたときの縦断面図である。図３では、可動刃６ｂは、ロール紙１の幅方向外側の待機位置にあるため、図示されていない。図３において、ロール紙１の画像形成部２０を通過した先端部では、記録ヘッド１１によるインクを打ち込みのため、水平方向線Ｌより上方向へ反りが生じている。押さえコロ７は第１の位置と第２の位置との間で移動可能であるが、図３の状態では、最下部が搬送経路の水平方向線Ｌよりも上側に位置する第１の位置にある。このため、ロール紙１は押さえコロ７によって上方向への変位を一定以下に規制され、先端部に一定以上の上向きの反りが生じた場合にこれを一定量以下に抑えることができる。これにより、ロール紙１が大きく反ることによる外装カバー等との引っ掛かりを防ぐことができる。
【００１５】
図４はロール紙１に対する記録を終了した時の縦断面図である。図４の状態では、ロール紙１は、その先端部がバスケット９に接触しており、腰（曲げ抵抗）の影響によってカッタ６の周辺部分が浮き上がろうとする。しかし、本実施形態によれば、第１の位置にある押さえコロ７によってロール紙１の浮き上がり量を一定値以下に規制することができる。
【００１６】
図５は記録後のロール紙１をカッタ６で切断するときの縦断面図である。ロール紙１に対する画像記録が終了すると、まず、記録中に最下部が搬送経路の水平方向線Ｌより上側にある第１の位置にあった押さえコロ７を、最下部が搬送経路の水平方向線Ｌより下側にある第２の位置へ移動させる。すると、ロール紙１は押さえコロ７により押さえられて固定刃６ａに接触する。押さえコロ７を第１の位置から第２の位置へ移動させた後、ロール紙１の幅方向外側で待機していた可動刃６ｂを固定刃６ａに沿って切断方向へ移動させることによりロール紙１を切断する。このとき、ロール紙１に対して可動刃６ｂからも押え付け力が作用するが、ロール紙１は上述のように予め固定刃６ａに押し付けられているので切断性能を向上させることができる。
【００１７】
カッタ６によるロール紙１の切断が終了すると、可動刃６ｂによる押え付け力が急に消失するため、その反動で切断後のロール紙１の後端部が跳ね上がろうとする。しかし、本実施形態では、切断後でも、第２の位置にある押さえコロ７によってロール紙１の後端部の上限位置が規制されているため、ロール紙１の後端部が反動で跳ね上がることはない。
【００１８】
なお、本実施形態では、回転体である押さえコロ７は画像記録が終了した時点では未だ水平方向線Ｌより上側の第１の位置にあり、その後に第２の位置へ移動させた。これは、記録媒体であるロール紙１の先端が押さえコロ７を通過した後であれば、画像記録を終了する前に第１の位置から第２の位置へ移動させても良い。そうすることで、押さえコロ７の移動に要する時間を節約することができる。また、回転体７の第１の位置は、記録媒体１の種類（例えば厚さや材質）に応じて可変であるように構成しても良い。さらに、回転体７の第１の位置は、記録媒体１の先端が該回転体を通過する前と後で変化するように構成しても良い。つまり、第１の位置に関しては、記録媒体１の先端部の上方への反り量が大きい場合は、回転体７の位置を当初は高くしておき、記録媒体１の先端が通過した後で所定量だけ下げるように構成しても良い。こうすることで、記録媒体１の先端が回転体７や外装カバーなどに引っ掛かることを無くすことができる。
【００１９】
以上説明した実施形態では、カッタ６の搬送下流側に、最下部が搬送経路より上にある第１の位置と最下部が搬送経路より下側にある第２の位置との間で移動可能な回転体７を設ける構成となっている。かかる構成によれば、第２の位置に移動させた回転体により切断された記録媒体１の後端部を押さえることで、切断終了時の反動による記録媒体１の後端部の跳ね上がりを防止することができる。これにより、切断により生じた紙粉が周辺への飛散することを防ぐことができ、紙粉が付着することに起因する記録ヘッド等の作動不良を無くすことができる。特にインクジェット記録装置の場合は、紙粉による吐出口の目詰まりに起因するインクの吐出不良および記録画像の画質低下を防止することができる。また、記録媒体１に画像を形成しているときは回転体７を第１の位置に保持することにより記録媒体の浮き上がりを防止することができる。つまり、１つの回転体を設けるだけで、記録媒体の浮き上がりと記録媒体後端部の跳ね上がりとを防止することができる。
【００２０】
なお、以上の実施形態では、記録媒体としてロール紙を用いる記録装置を例に挙げたが、本発明は、カットシートや連続紙など他の形態の記録媒体を用いる記録装置においても同様に適用可能である。また、回転体として押さえコロ７を用いる場合を例示したが、本発明は、回転可能な部材であれば、その他の形態の回転体を使用する場合でも同様に適用可能である。また、以上の実施形態では、記録ヘッドを搭載したキャリッジを往復移動させて画像を記録するシリアルタイプの記録装置を例に挙げたが、本発明は、紙送りのみで１ラインずつ一括して画像を記録するラインタイプの記録装置にも同様に適用可能である。また、記録媒体の材質としても、紙、プラスチックシート、写真調印画紙、布など、種々のものを使用することができる。
【図面の簡単な説明】
【００２１】
【図１】一実施形態に係る記録装置の斜視図である。
【図２】一実施形態に係る記録装置の縦断面図である。
【図３】ロール紙の先端が押さえコロの搬送下流側まで搬送されたときの縦断面図である。
【図４】ロール紙に対する記録を終了した時の縦断面図である。
【図５】記録後のロール紙をカッタで切断するときの縦断面図である。
【符号の説明】
【００２２】
１      ロール紙
２ａ    駆動ローラ
２ｂ    従動ローラ
３      キャリッジ
４      プラテン
６      カッタ
６ａ    固定刃
６ｂ    可動刃
７      押さえコロ
１１    記録ヘッド
２０    画像形成部
【図１】
2009292110.tif 000003
【図２】
2009292110.tif 000004
【図３】
2009292110.tif 000005
【図４】
2009292110.tif 000006
【図５】
2009292110.tif 000007